(57)【要約】【課題】  本発明は、園芸鉢で育成した植物をその園芸鉢のまま、花瓶と同様の装飾効果で室内で長期間鑑賞することができることを目的とした花瓶形園芸用鉢を提供する。【解決手段】  下部の水抜き穴を持つ園芸鉢の上部で着脱自在に形成され、くびれた首部を持ち、下底と上端が開口されたことを特徴とする園芸用上鉢から成る花瓶形園芸用鉢。【選択図】図１
2007330249.tif 000002
【特許請求の範囲】
【請求項１】
水抜き穴を持つ園芸鉢と着脱自在に形成され、くびれた首部を持ち、下底と上端が開口されたことを特徴とする園芸用上鉢。
【請求項２】
請求項１の園芸用上鉢と、水抜き穴を持つ下部の園芸鉢から成る、着脱自在な花瓶形園芸用鉢。
【発明の詳細な説明】
【技術分野】
【０００１】  本発明は、園芸鉢で植物を栽培し、生長した葉や花や樹形を観賞するときは花瓶のような装飾インテリア効果があり、花瓶に活けた切花より長期間の観賞を可能とする花瓶形園芸用鉢に関するものである。
【背景技術】
【０００２】  従来の園芸鉢は、栽培する植物の樹形や株、葉、花の大きさや数とのバランスを考慮し、上面から見ると外形が、円形、四角形、長方形、多角形などであり、断面は円筒形、半円形、皿形、逆円錐形、角形など多様であるが、栽培用土を入れ施肥し注水する機能のため、鉢の上部はただの空間となっている。【０００３】  園芸鉢で生長した葉や花を室内で観賞するときは、園芸鉢に植物を栽培した状態で机や棚に置く。【０００４】  路地や畑で栽培した葉や花を室内で観賞するときは、インテリア効果と生育の維持をはかるために切花にして花瓶に活けて飾る。
【発明の開示】
【発明が解決しようとする課題】
【０００５】  園芸鉢で生長した草、花、葉、樹木を室内で鑑賞する場合、園芸鉢は花瓶に比べて、装飾的なインテリア効果がうすく、また鉢から上がこぼれて鉢の周辺が汚れやすい。【０００６】  開花した花を切花として花瓶に活けて室内で鑑賞する場合、園芸鉢で植栽された植物に比べて鑑賞の期間が著しく短い。
本発明は以上の問題点を解決し、園芸鉢として利用される器と花瓶として利用される器を兼ね備えた花瓶形園芸用鉢を提供しようとするものである。
【課題を解決するための手段】
【０００７】  くびれた首部を持ち、下底と上端が開口された蓋状の園芸用上鉢と、水抜き穴を持つ下部の園芸鉢から成り、両鉢を着脱自在に形成したことを特徴とする花瓶形園芸用鉢。
【発明の効果】
【０００８】（イ）本発明の花瓶形園芸用鉢は、植物の生長を育成する下部の園芸鉢と、上部の園芸用      上鉢とを組み合わせて用いることにより、花瓶の外観を示し、室内に置けばインテ      リア効果がある。
（ロ）園芸用上鉢は園芸鉢を蓋のように覆うので、栽培用土をこぼして周辺を汚すことが      無く、室内の鑑賞に適している。
（ハ）下部の園芸鉢には植物を植え込んでいるので、栽培を継続していて、室内での鑑賞      期間を切花と比較して著しく長くすることができる。また、植物の種類によって剪      定を施すことにより、開花を繰り返し行うことができる。
（ニ）植物の伸張が花瓶状の園芸用鉢によって、通常形の園芸鉢と異なった形で生長する      意外性や偶然性が期待でき、栽培の応用が広がる。
（ホ）植物の種類によって、閉花後の剪定の後、上部の園芸用上鉢と下部の園芸鉢を分離      し、植物の植え替えや手入れを行うことができ、樹木や宿根草では翌年の再生長を      期待できる。
（ヘ）これらのことにより、園芸技法と鑑賞場所の範囲と奥行きが広がり、植物の価値や      有効性を高め、園芸者及び鑑賞者の楽しみを向上させることができる。
【発明を実施するための最良の形態】
【０００９】  本発明の花瓶形園芸用鉢の実施の形態を説明する。
（イ）本発明は、くびれた首部をもつ園芸用上鉢（２）と、下部の園芸鉢（３）とを凹凸      式（９）や段差式（１０）、嵌め込み式（１１）などに形成することで、一体とし      たり分割したりすることが可能な園芸用鉢である。
（ロ）本発明の園芸用上鉢は、下端縁（４）は園芸鉢と着脱自在な形に形成され、また下      側の開口部（６）が形成され、胴から上の肩や首をしぼって、くびれ（１２）や鶴      首（１３）を持ち、さらに上端（５）は上側の開口部（６）が形成されている。
（ハ）園芸鉢（３）は、水抜きの底穴（８）を持ち、上端縁（９）は園芸用上鉢と着脱自      在な構造で形成されている。
本発明の園芸用鉢は、以上の構成から成る。
次に本発明の花瓶形園芸用鉢の使用法を説明する。
（ニ）園芸鉢に園芸用土などを入れ植物の種を播くか、球根や苗、又は木株を植え込む。
（ホ）園芸鉢に播種か植え込み後、植物の生長状態を確認し、大きくなりきらない最適時      に園芸鉢の上部に園芸用上鉢を一体に組み合わせる。チューリップを例として示す      。図８は植え込んだチューリップの球根が発芽し伸葉した状態であり、園芸用上鉢      を組み合わせる最適の状態である。
（ヘ）植物は園芸用上鉢の上端開口部からの光線に向かって生長を続ける。図９は園芸用      上鉢に覆われながら、さらに生長するチューリップである。
（ト）植物は上端開口部より上に生長したあと、空間に広がってさらに生長繁茂する。図      １０はつぼみがふくらみ開花が近いチューリップである。この状態で室内鑑賞を開      始すると、切花を花瓶に入れて観賞することに比べて、長期間に花を鑑賞すること      ができる。
（チ）完全に生長し開花した植物は、花瓶に活けた花のように観賞できる。図１１は開花      したチューリップである。
（リ）開花が近い状態や開花してからの室内での鑑賞は、植物の種類により自由に選択す      ることができ、この段階では育成者当人の楽しみと、また贈答に適し、さらに事業      として育成した業者は販売に供することができる。
（ヌ）本発明の園芸用上鉢の胴や首の長さや開口部の広さを調整することにより、植物の      種類に合わせて効果的に用いることができる。
（ル）本発明の構造を有する園芸用上鉢は、陶器、ガラス、成形樹脂、木、紙または金属      などの各種の素材を用いることができる。
本発明の花瓶形園芸用鉢は、以上の構造をもち、説明の使用法により本発明の効果を示す。
【図面の簡単な説明】
【００１０】
【図１】  本発明の花瓶形園芸用鉢（Ａ）の上面側からの分解斜視図
【図２】  本発明の花瓶形園芸用鉢（Ａ）の上面側からの斜視図
【図３】  本発明の園芸用上鉢の上面側からの斜視図
【図４】  本発明の園芸用上鉢の下面側からの斜視図
【図５】  園芸鉢の下面側からの斜視図
【図６】  本発明の園芸用鉢（Ｂ）の分解斜視図
【図７】  本発明の園芸用鉢（Ｃ）の分解斜視図
【図８】  本発明を実施するための最良の形態の（ホ）の斜視図
【図９】  本発明を実施するための最良の形態の（ヘ）の斜視図
【図１０】  本発明を実施するための最良の形態の（ト）の斜視図
【図１１】  本発明を実施するための最良の形態の（チ）の斜視図
【符号の説明】
【００１１】  １    花瓶形園芸用鉢
２    園芸用上鉢
３    園芸鉢
４    下端縁
５    上端
６    上側の開口部
７    下側の開口部
８    底穴
９    上端縁
１０  凹凸式
１１  段差式
１２  嵌め込み式
１３  くびれ
１４  鶴首
【図１】
2007330249.tif 000003
【図２】
2007330249.tif 000004
【図３】
2007330249.tif 000005
【図４】
2007330249.tif 000006
【図５】
2007330249.tif 000007
【図６】
2007330249.tif 000008
【図７】
2007330249.tif 000009
【図８】
2007330249.tif 000010
【図９】
2007330249.tif 000011
【図１０】
2007330249.tif 000012
【図１１】
2007330249.tif 000013